(57)【要約】【課題】台風や地震等の災害が発したりする場合に避難者が避難する体育館等の避難所に容易に間仕切り室７を組立てることができる簡易型間仕切りを提供する。【解決手段】中心部４から十文字状に保持溝部５が延設された支柱２と、該保持溝部５に挿入組込みされる仕切り板３とにより間仕切り室７が形成される簡易型間仕切りであって、前記保持溝部５には、仕切り板３が挟持状に保持される溝幅として構成される溝底側の保持部５ｄと、該溝底側の保持部５ｄよりも入り口側を仕切り板３が遊嵌する溝幅として仕切り板３が遊嵌状に挿入する遊嵌部５ｃと、保持溝部５の入り口で仕切り板３を挟持状に保持する溝幅として入り口側の保持部５ｂとが形成されていて、仕切り板３と保持溝部５とが芯ずれしていても仕切り板３の挿入組込みができるようにする。【選択図】図１
2018009417.tif 000002
【特許請求の範囲】
【請求項１】
中心部から十文字状に保持溝部が延設された支柱と、該保持溝部に挿入組込みされる仕切り板とにより間仕切り室が形成される簡易型間仕切りであって、前記保持溝部は、仕切り板が挟持状に保持される溝幅にした保持部と、該保持部に隣接して仕切り板が遊嵌する溝幅にした遊嵌部とを備えて構成され、前記保持部は、保持溝部の入り口側、溝底側の少なくとも一方に形成されていることを特徴とする簡易型間仕切り。
【請求項２】
保持部は、保持溝部の入り口側に形成される入り口側保持部と、溝底側に形成される溝底側保持部の両者であり、両保持部のあいだに遊嵌部が形成されていることを特徴とする請求項１記載の簡易型間仕切り。
【請求項３】
入り口側保持部は、入り口先端から溝底側に至るほど対向間が幅狭になっていて、入り口側保持部に挿入する仕切り板先端を入り口側先端の溝内に挿入案内する入り口側案内部が形成されていることを特徴とする請求項２記載の簡易型間仕切り。
【請求項４】
溝底側保持部と遊嵌部とのあいだには仕切り板を溝底側保持部に挿入案内する溝底側案内部が形成されていることを特徴とする請求項２または３記載の簡易型間仕切り。
【請求項５】
間仕切り室の仕切り板がない出入り口の左右両側の支柱間に、開閉体を吊持するための吊持レールの両端部が差込まれることを特徴とする請求項１乃至４の何れか１項記載の簡易型間仕切り。
【請求項６】
間仕切り室の天井空間を渡って対向する一対の支柱間に補強体の両端部が差込まれることを特徴とする請求項１乃至５の何れか１項記載の簡易型間仕切り。
【請求項７】
仕切り板が保持されていない保持溝部に、支柱の自立を補助するための幅狭な補助板が挟持状に保持されることを特徴とする請求項１乃至６の何れか１項記載の簡易型間仕切り。
【請求項８】
仕切り板の上端部に外嵌した長尺状のフック受けにフックが係脱自在に取付けられることを特徴とする請求項１乃至７の何れか１項記載の簡易型間仕切り。
【発明の詳細な説明】
【技術分野】
【０００１】
本発明は、災害が発生することにより避難者が避難する体育館等の避難所に容易に組立てられる簡易型間仕切りの技術分野に関するものである。
【背景技術】
【０００２】
今日、地震や水害等の災害が発生した場合、避難者が体育館等の避難所に避難することがあるが、このような避難所は、広い空間があるだけであって仕切られたプライベート空間がなく避難者の生活が丸見えになってしまうという問題がある。
そこで避難所の床に支柱を立設し、該支柱に設けた保持溝に仕切り板を挿入して例えば四角状の間仕切り空間を簡易的に形成してプライベート空間を形成するようにしたものが知られている（例えば特許文献１参照。）。
【先行技術文献】
【特許文献】
【０００３】
【特許文献１】特開２０１１−３２７４２号公報
【発明の概要】
【発明が解決しようとする課題】
【０００４】
ところが前記従来の簡易型の間仕切りは、支柱に形成される保持溝の溝幅に対し仕切り板の厚さを僅かに小さいものとして仕切り板が保持溝にスライド挿入するようにしていたため、仕切り板を保持溝に挿入する際、仕切り板と保持溝との芯合わせがずれていると抉れた状態となってうまく挿入できないだけでなく、この状態で無理に挿入しようとすると仕切り板が折れてしまったりするという問題がある。
そこで保持溝の溝幅に対して仕切り板の厚さを小さくして仕切り板を保持溝に遊嵌状に挿入できるようにすることが提唱されるが、このようにした場合、仕切り板の保持溝による保持が確実ではなく、仕切り板にガタが発生するだけでなく、仕切り板が保持溝から簡単に抜け出ることになって組立てた間仕切りが壊れやすくなるという問題があり、これを解決するためには、間仕切り板を保持溝に固定するための固定部材が別途必要になって部品点数が多くなるだけでなく、固定部材による固定作業が必要になって作業性が劣るという問題があり、これらに本発明が解決せんとする課題がある。
【課題を解決するための手段】
【０００５】
本発明は、上記の如き実情に鑑みこれらの課題を解決することを目的として創作されたものであって、請求項１の発明は、中心部から十文字状に保持溝部が延設された支柱と、該保持溝部に挿入組込みされる仕切り板とにより間仕切り室が形成される簡易型間仕切りであって、前記保持溝部は、仕切り板が挟持状に保持される溝幅にした保持部と、該保持部に隣接して仕切り板が遊嵌する溝幅にした遊嵌部とを備えて構成され、前記保持部は、保持溝部の入り口側、溝底側の少なくとも一方に形成されていることを特徴とする簡易型間仕切りである。
請求項２の発明は、保持部は、保持溝部の入り口側に形成される入り口側保持部と、溝底側に形成される溝底側保持部の両者であり、両保持部のあいだに遊嵌部が形成されていることを特徴とする請求項１記載の簡易型間仕切りである。
請求項３の発明は、入り口側保持部は、入り口先端から溝底側に至るほど対向間が幅狭になっていて、入り口側保持部に挿入する仕切り板先端を入り口側先端の溝内に挿入案内する入り口側案内部が形成されていることを特徴とする請求項２記載の簡易型間仕切りである。
請求項４の発明は、溝底側保持部と遊嵌部とのあいだには仕切り板を溝底側保持部に挿入案内する溝底側案内部が形成されていることを特徴とする請求項２または３記載の簡易型間仕切りである。
請求項５の発明は、間仕切り室の仕切り板がない出入り口の左右両側の支柱間に、開閉体を吊持するための吊持レールの両端部が差込まれることを特徴とする請求項１乃至４の何れか１項記載の簡易型間仕切りである。
請求項６の発明は、間仕切り室の天井空間を渡って対向する一対の支柱間に補強体の両端部が差込まれることを特徴とする請求項１乃至５の何れか１項記載の簡易型間仕切りである。
請求項７の発明は、仕切り板が保持されていない保持溝部に、支柱の自立を補助するための幅狭な補助板が挟持状に保持されることを特徴とする請求項１乃至６の何れか１項記載の簡易型間仕切りである。
請求項８の発明は、仕切り板の上端部に外嵌した長尺状のフック受けにフックが係脱自在に取付けられることを特徴とする請求項１乃至７の何れか１項記載の簡易型間仕切りである。
【発明の効果】
【０００６】
請求項１の発明とすることにより、仕切り板は、支柱保持溝部の遊嵌部を通る状態で保持部に挟持状に保持されることになるから、仕切り板と保持溝部とに芯ずれがあっても仕切り板の保持溝部への挿入組込みが簡単にできることになって組立て性が向上する。
請求項２の発明とすることにより、挿入組込みされる仕切り板は、入り口側と溝底側の二か所の保持部で挟持状に保持されることになるため、仕切り板の保持溝部での保持が確実になる。
請求項３の発明とすることにより、仕切り板の先端縁が入り口側保持部に挿入する際に、入り口側案内部に案内される状態で入り口側保持部に挿入されることになって、入り口側保持部への仕切り板の挿入が容易となる。
請求項４の発明とすることにより、仕切り板の先端縁が溝底側保持部に挿入する際に、遊嵌部と溝底側保持部とのあいだに形成される溝底側案内部に案内される状態で溝底側保持部に挿入されることになって、溝底側保持部への仕切り板の挿入が容易となる。
請求項５の発明とすることにより、仕切り板のない間仕切り室の出入り口に、カーテン等の開閉体を取付けるための吊持レールを簡単に取付けることができ、出入り口を出入り自在に閉塞できることになる。
請求項６の発明とすることにより、間仕切り室が、天井空間を渡って取付けられる補強体による補強ができることになって、間仕切り室の強度アップを図ることができる。
請求項７の発明とすることにより、仕切り板が保持されていない保持溝部に保持される補助板によって支柱の自立補助がなされ、間仕切り室の補強ができることになる。
請求項８の発明とすることにより、仕切り板を有効に利用して荷物等を係止するフックが設けられることになるが、その場合に、フックは長尺状のフック受けに取付けられるため、負荷が分散されることになって仕切り板の変形破損を防止できる。
【図面の簡単な説明】
【０００７】
【図１】間仕切り室の斜視図である。
【図２】支柱と仕切り板の分解状態の斜視図である。
【図３】（Ａ）（Ｂ）は仕切り板をコーナー状に組立てる前後の斜視図である。
【図４】（Ａ）（Ｂ）（Ｃ）（Ｄ）（Ｅ）は仕切り板を一枚組立てた状態、二枚を直線状に組立てた状態、コーナー状に組立てた状態、Ｔ字状に組立てた状態、十文字状に組立てた状態を示す平面図である。
【図５】（Ａ）（Ｂ）は支柱の平面図、拡大部分平面図である。
【図６】（Ａ）（Ｂ）（Ｃ）（Ｄ）は仕切り板を支柱に挿入組込みする状態を示す平面図である。
【図７】（Ａ）（Ｂ）（Ｃ）はカーテンレール、補強体、補助板を支柱に差し込む状態を示す斜視図である。
【図８】補強体を支柱に差し込む前後を示す斜視図である。
【図９】フックを仕切り板上端部に取り付けた状態の側面図である。
【図１０】複数の間仕切り室を隣りあわせに組立てた状態を示す平面図である。
【図１１】間仕切り室を補強するための他例を示す平面図である。
【図１２】補強体の取付け例を示す平面図である。
【発明を実施するための形態】
【０００８】
以下、本発明の実施の形態について、図面に基づいて説明する。図面において、１は簡易型の間仕切りであって、該間仕切り１は、支柱２と仕切り板３とを用いて構成される。
【０００９】
仕切り板３は、平板状で、ポリ塩化ビニル、ポリプロピレン、ポリスチレン等の樹脂（プラスチック）製の段ボール板や発泡板等の軽量化した板材で形成されたものであり耐水性を持たせている。一方、支柱２についても同様に樹脂製として耐水性を持たせている。
【００１０】
支柱２は、中心部４と、該中心部４から十文字方向に延出形成される保持溝部５とにより構成されるが、中心部４には丸孔状の孔部４ａが形成され、さらに孔部４ａの内周面には、後述するカーテンレール９、補強体１０の両端部を支持するための突起４ｂが形成されている。
【００１１】
一方、保持溝部５は、互いに対向する一対の保持腕５ａによって形成されるが、該保持腕５ａは、先端部（入り口部）に対向面側が円弧状に膨出した入り口側の保持部５ｂが形成されている。そして該入り口側保持部５ｂの対向間隔Ａは、仕切り板３の厚みＢに対して等しいか僅かに狭い（Ａ≦Ｂ）寸法設定になっていて、挿入組込みされた仕切り板３を挟持状に保持するようになっている。
この入り口側保持部５ｂから溝底側に続く部位は対向面間の溝幅Ｃが仕切り板３の厚みＢよりも大きい（Ｃ＞Ｂ）設定になっていることで入り口側保持部５ｂに対して対向幅が広くて蟻溝状に構成されており、これによって仕切り板３が遊嵌状に挿入される遊嵌部５ｃとなっていると共に、入り口側保持部５ｂの溝幅方向の弾性変形ができるようになっている。
また保持溝部５の遊嵌部５ｃよりも溝底側は、対向面間の溝幅Ｄが仕切り板３の厚みＢと略同じ寸法（Ｄ≒Ｂ）となっていて、挿入組込みされた仕切り板３を挟持状に保持する溝底側保持部５ｄに構成されている。そしてこの溝底側保持部５ｄと遊嵌部５ｃとのあいだには溝底側ほど幅狭になっていて、遊嵌部５ｃから溝底側に挿入組込みされる仕切り板３の先端部を溝底側保持部５ｄに誘導案内するよう溝底側ほど対向面間が幅狭となった案内部５ｅが構成されている。
【００１２】
そして仕切り板３を保持溝部５に挿入組込みする場合に、該仕切り板３は、先端部が入り口側保持部５ｂから遊嵌部５ｃ、案内部５ｅを経て溝底側保持部５ｄに挿入組込みされることになるが、このとき、仕切り板３の芯Ｘと保持溝部５の芯Ｙとが芯ずれした状態であった場合に、入り口側保持部５ｂは遊嵌部５ｃが芯ずれした状態に合わせて弾性変形することになるため、仕切り板３の無理な挿入が回避される。尚、入り口側保持部５ｂは円弧状になっているため、仕切り板３の先端縁３ａを入り口側保持部５ｂの溝内に誘導案内するようになっていて入り口側案内部５ｇを形成している。このような仕切り板３の先端縁３ａの誘導案内をする入り口側案内部５ｇとしては、対向面部を円弧状にすることだけでなく、例えば三角形状、台形状、楕円形状等、入り口側保持部５ｂの先端から溝底側に至るほど対向幅が幅狭になるようにしたものであれば実施することができる。
そして仕切り板３の先端縁３ａは、芯ずれしたまま遊嵌部５ｃに挿入することになるが、該遊嵌部５ｃに挿入した仕切り板３の先端縁３ａは、仕切り板３の厚みＢよりも溝幅Ｃが大きい遊嵌部５ｃに至るため、仕切り板３と保持溝部５とのあいだに前記のような芯ずれがあっても仕切り板３の挿入は許容される。そして仕切り板３の先端縁３ａが案内部５ｅに至ると、仕切り板３は、溝底側保持部５ｄに挿入すべく芯ずれが矯正されるよう案内がなされ、抵抗感のある状態で溝底側保持部５ｄに挿入し、仕切り板３の先端縁３ａが保持溝部５の溝底５ｆに当接することで止まることになり、作業者は、これにより仕切り板３が保持溝部５に対し設定どおりの挿入組込みがなされたことを認識できるようになっている。
因みに支柱２は、孔部４ａの内周面と保持溝部５の溝底５ｆに、肉厚をできるだけ同じになるようにして樹脂材を成型する際の冷却による熱収縮が起因して樹脂表面が不均一な凹形状に変形しないよう肉抜き４ｃ、５ｈが施されたものとなっている。
【００１３】
そして仕切り板３は、支柱２に対して一枚、直線状に二枚、Ｌ字状に二枚、Ｔ字状に三枚、十字状に四枚の挿入組込みができることになる（図４参照）が、これらの挿入組込みを組み合わせて使うことで、仕切り板３のない出入り口６を含めた間仕切り室７を容易に組立てることができることになる。そして各種の組み合わせをすることで、例えば、図１０に示すように縦横隣り合わせ状に連設（隣設）したもの等、各種の組み合わせで種々の間仕切り室７を形成できることになる。
【００１４】
さらに本実施の形態では、出入り口６にカーテン８を設けるためのカーテンレール９が用意されている（図７参照）が、該カーテンレール９は両端部が同一方向に湾曲（折曲）した差込み部９ｂが形成され、この差込み部９ｂを出入り口６の左右両側の支柱２の孔部４ａに差し込むことができるようになっている。尚、９ａはカーテン８を吊るすためのカーテンリングである。
因みに出入口６を開閉自在に閉塞するためのものはカーテン８に限定されるものではなく、例えばジグザグ状に折畳めるようにしたもの、蛇腹状に折畳めるようにしたもの、ロール状に巻き取ることができるようにしたもの等、通常知られた種々の構成の開閉体を用いて実施することができる。
【００１５】
また本実施の形態では、例えば隣接するＬ字形（コーナー状）になった仕切り板３の先端側同士の支柱２の孔部４ａの上端から差し込んで梁とすることができる例えば鉄棒等の補強体１０を取付けることで間仕切り室７の補強ができる（図８参照）が、補強体１０としては、このようなＬ字形部位に梁として設けるものに限定されず、間仕切り室７の天井空間を渡って対向する対向面間同士の支柱中心部４の孔部４ａ間に組込むようにしたものであってもよい。
また間仕切り室７の広さを、図１１に示すように、仕切り板３が２×３枚のように３枚以上の仕切り板３が直線状に並設されるものである場合に、出入口６を端側ではなく中間位置とした場合、コーナー部の支柱２の孔部４ａが空いており、そこでコーナー部の対角線上の孔部４ａ同士に補強体１０を×状に組込むようにすることができる。この場合、補強体１０の交差部は、自身の撓み変形によって構成できるため問題はない。
【００１６】
さらに本実施の形態では、仕切り板３の上端縁に係止してハンガーや荷物を係止することができるフック１１が設けられるが、この場合、仕切り板３の上端縁に部分的な負荷が働かないよう冂形をした長尺状のフック受け１１ａを仕切り板３の上端縁に設け、このフック受け１１ａにフック１１を係止しているが、フック１１としては、支柱中心部４の孔部４ａに差し込むようにしても組込むことができる。
【００１７】
叙述の如く構成された本実施の形態において、間仕切り室７を組立て形成する場合に、仕切り板３を支柱２に挿入組込みすることになるが、この場合に、仕切り板３は、支柱保持溝部５の保持腕５ａに形成される入り口側保持部５ｂ、遊嵌部５ｃ、案内部５ｅを経由して溝底側保持部５ｄに挿入組込みされることになるが、仕切り板３が入り口側保持部５ｂに挿入する際には、溝底側ほど対向間が狭くなった円弧状の入り口側案内部５ｇに誘導案内される状態で入り口側保持部５ｂに挿入されるため、仕切り板３と保持溝部５とのあいだに芯ずれがあっても仕切り板先端縁３ａは、入り口側保持部５ｂに挿入することになる。この場合に、入り口側保持部５ｂは、遊嵌部５ｃが弾性変形することで芯ずれ状態であっても仕切り板３の容易な挿入ができることになって作業性が向上する。
【００１８】
そして入り口側保持部５ｂを挿入した仕切り板３は、溝幅Ｃが板厚Ｂよりも大きい遊嵌部５ｃを挿入していくことになるから、保持溝部５と仕切り板３とが多少芯ずれしていても仕切り板３は遊嵌部５ｃを挿入していき、溝底側案内部５ｅに至ると、仕切り板先端縁３ａは仕切り板３の芯を保持溝部５の芯に合わせるように矯正案内することになり、これにより仕切り板３は溝底側保持部５ｄに挟持状に保持される状態で挿入組込みされる。このため仕切り板３は、遊嵌部５ｃのある保持溝部５に挿入されるものであっても確実な保持ができることになるが、本実施の形態では、仕切り板３は、溝底側保持部５ｄだけでなく、入り口側保持部５ｂによる遊嵌部５ｃを挟んだ二箇所で挟持状に保持されることになるから、挿入組込みが容易でありながら、仕切り板３と保持溝部５との芯合わせが正確になると共に、より確りした仕切り板３の挟持状の保持ができることになって間仕切り室７の強度アップを図ることができる。
【００１９】
しかも間仕切り室７には、仕切り板３のない出入り口６が形成されることになるが、該出入り口６の左右の支柱中心部４の孔部４ａには、カーテン８を吊下げるためのカーテンレール９の両端部を差込むことができるため、出入り口６を出入り自在な状態で閉塞することが簡単にできることになる。
【００２０】
また、間仕切り室７のコーナー部に設けられる仕切り板３の先端部が挿入組込みされる支柱中心部４の孔部４ａ間同士、孔部４ａと仕切り板３が保持されていない保持溝部５、仕切り板３が保持されていない保持溝部５同士には、間仕切り室６の天井空間を通るようにして補強体１０の両端部が差込まれるため、間仕切り室７の更なる補強ができることになる。因みに孔部４ａの直径と保持溝部５の遊嵌部５ｃの溝幅が同じになっているため、同じ太さの補強体１０を用いての補強ができることになる。そして補強体１０を支柱に取付ける場合、図８、１１では孔部４ａ同士に差し込んだが、仕切り板３が組込まれていない保持溝部５を用いて取り付ける場合、図１２に示すように、間仕切り室７の内外側同士、両者とも同じ間仕切り室７の内側同士、両者とも同じ間仕切り室７の外側同士の保持溝部５に差し込むことができ、また補強体１０の一方を孔部４ａに、他方を間仕切り室７内外何れか一方の保持溝部５に差し込む等することで、様々な態様の補強ができる。この場合に、一つの支柱２に、複数の補強体１０を差込むように選択（例えば孔部４ａと内側保持溝部５ａを選択）することにより、一つの支柱２を用いて複数の補強ができることになる。
また間仕切り室７が隣接するような場合、補強体１０の一方を、一方の間仕切り室７内側の保持溝部５あるいは孔部４ａに差し込んだ場合には、補強体１０の他方を、隣接する他方の間仕切り室７の内側の保持溝部５に差し込むように選択することができ、このようにすることにより、一つの支柱２を用いて両間仕切り室７での補強体１０の差込みができることになってより強固の補強ができることになる。
このように補強体１０を用いて補強する場合、補強体１０が差込まれる孔部４ａおよび保持溝部５をどれにするかは、必要において適宜選択できるものであり、このようにすることにより補強体１０を用いた種々の補強構造の組み合わせ態様を実施することが可能になる。
因みに、カーテンレール９や補強体１０の両端部を孔部４ａ差込む場合、該孔部４ａとしては、少なくともこれらを差込むための深さがあれば十分であるが、支柱２を型成形する場合では、孔部４ａは上下端間に通し状に形成されることになり、これによって材料の節約が図れることになる。
【００２１】
また本実施の形態では、仕切り板３の上端部にフック１１が設けられているため、ハンガーや小荷物の吊り持ちができることになって間仕切り室７の整理に寄与することになるが、フック１１を仕切り板３の上端縁に設ける場合、フック受け１１ａを仕切り板３の上端縁に外嵌しているため、仕切り板３に部分的な負荷が働くことを回避できることになって、仕切り板３が凹んでしまったりすることを防止できる。
【００２２】
さらにまた、図７、図１１に示すように、仕切り板３を保持していない空の保持溝部５に幅狭（例えば幅１００〜１５０ｍｍ）な補助板１２を挟持状に保持することにより、支柱２の自立が促進されることになり、これによってより強度アップされた間仕切り室７を形成することができる。因みに補助板１２は下端が床面に当接して支柱２の自立の補助をするものであるから、仕切り板３のように上下方向に長い（支柱２と同長さ）必要はなく、下側半部のみの長さ等、適宜の長さとすることができる。
そしてこの場合、補助板１２は、仕切り板３および補強体１０が差込まれていない全ての保持溝部５に差し込んでもよいし、選択された一部（内外の選択もできる。）の保持溝部５に差し込んでもよい。
【産業上の利用可能性】
【００２３】
本発明は、災害が発生すること等により避難者が避難する体育館等の避難所に容易に組立てられる簡易型間仕切りとして利用することができる。
【符号の説明】
【００２４】
１  間仕切り
２  支柱
３  仕切り板
３ａ  先端縁
４  中心部
４ａ  孔部
５  保持溝部
５ａ  保持腕
５ｂ  入り口側保持部
５ｃ  遊嵌部
５ｄ  溝底側保持部
５ｅ  溝底側案内部
５ｇ  入り口側案内部
６  出入り口
７  間仕切り室
８  カーテン
９  カーテンレール
１０  補強体
１１  フック
１１ａ  フック受け
１２補助板
【図１】
2018009417.tif 000003
【図２】
2018009417.tif 000004
【図３】
2018009417.tif 000005
【図４】
2018009417.tif 000006
【図５】
2018009417.tif 000007
【図６】
2018009417.tif 000008
【図７】
2018009417.tif 000009
【図８】
2018009417.tif 000010
【図９】
2018009417.tif 000011
【図１０】
2018009417.tif 000012
【図１１】
2018009417.tif 000013
【図１２】
2018009417.tif 000014